(57)【要約】      （修正有）【課題】倒立噴霧が可能な噴霧装置の提供。【解決手段】入口から出口に内容物の通過する流路が形成されるハウジング１１０と、ハウジング１１０に設けられて容器の内容物を抽出して充填または吐出させるポンピング部１２０と、流路に設けられ、ポンピング部１２０の作動に連動して流路を選択的に遮蔽させるバルブ１４０部と、流路に設けられて倒立状態でポンピング部１２０の作動に連動して容器の内容物を抽出する倒立抽出部１９０と、を備える噴霧装置１００。【選択図】図２
2018083187.tif 000002
【特許請求の範囲】
【請求項１】
入口から出口に内容物の通過する流路が形成されるハウジングと、
前記ハウジングに設けられて容器の内容物を抽出して充填または吐出させるポンピング部と、
前記流路に設けられ、前記ポンピング部の作動に連動して前記流路を選択的に遮蔽させるバルブ部と、
前記流路に設けられて倒立状態で前記ポンピング部の作動に連動して前記容器の内容物を抽出する倒立抽出部と、を備える、
噴霧装置。
【請求項２】
前記ハウジングは、スナップオン方式で組立されるカバーを備える、
請求項１に記載の噴霧装置。
【請求項３】
前記カバーの分離時に前記ハウジングには、前記バルブ部が組立される安着部が開放される、
請求項２に記載の噴霧装置。
【請求項４】
前記ハウジングと前記カバーは、結合部によって着脱可能に組立され、
前記結合部は、
前記ハウジングに形成される結合突起部と、
前記結合突起部とスライド結合するように前記カバーに形成される結合レール部と、
前記ハウジングと前記カバーの結合状態を維持させる結合固定部と、を備える、
請求項２に記載の噴霧装置。
【請求項５】
前記ポンピング部は、
前記ハウジングに一定空間を形成し、前記容器の内容物が流入し、内部に充填された内容物を吐出させるポンプ流出口が形成されるポンプハウジングと、
前記ポンプハウジングにスライド移動可能に設けられるプランジャーと、
前記ハウジングに回動自在に設けられ、復元部材によって前記ハウジングから弾性支持され、前記プランジャーをスライド移動させるトリガーと、を備える、
請求項１に記載の噴霧装置。
【請求項６】
前記バルブ部は、
前記流路に結合する本体と、
前記本体に設けられて前記トリガーの作動に連動して前記入口を開閉する第１バルブと、
前記本体に設けられて前記トリガーの作動に連動して前記出口を開閉する第２バルブと、を備える、
請求項５に記載の噴霧装置。
【請求項７】
前記第１バルブは、
前記ハウジングの前記入口を開閉する気密プレートと、
前記本体から前記気密プレートを弾性支持する弾性部材と、を備える、
請求項６に記載の噴霧装置。
【請求項８】
前記ハウジングと前記トリガーとは、ヒンジ部によって相互結合し、
前記ヒンジ部は、
前記ハウジングに形成されるヒンジ軸と、
前記ヒンジ軸に回転自在に結合するように前記トリガーに形成されるヒンジブラケットと、を備え、
前記ヒンジブラケットは、前記ヒンジ軸から着脱可能に一側が開口され、
前記ヒンジブラケットと前記ヒンジ軸との結合状態は、前記復元部材の弾性力によって維持される、
請求項５に記載の噴霧装置。
【請求項９】
前記ハウジングは、前記容器のキャップにワンタッチ結合部によって結合され、
前記ワンタッチ結合部は、
前記ハウジングの下端部の周りに形成される結合フランジと、
前記結合フランジとしまりばめされるテンション結合部と、を備える、
請求項１に記載の噴霧装置。
【請求項１０】
前記ハウジングの出口には、ノズルが設けられ、
前記ノズルには、吐出される内容物に泡を形成する射出メッシュ部材が設けられる、
請求項１に記載の噴霧装置。
【請求項１１】
前記倒立抽出部は、
前記ハウジングに結合して前記流路と連通される主管路、及び、倒立時に内容物を案内する倒立管路が形成されるアダプタと、
前記倒立管路を前記ポンピング部と連動して開閉する開閉部と、を備える、
請求項１に記載の噴霧装置。
【請求項１２】
前記開閉部は、
前記倒立管路に設けられて前記倒立管路を選択的に開閉するボール部材と、
前記ボール部材が前記倒立管路から離脱することを防止するために前記倒立管路に形成される離脱防止リブと、を備える、
請求項１１に記載の噴霧装置。
【発明の詳細な説明】
【技術分野】
【０００１】
本発明は噴霧装置に関する。より具体的には、倒立噴射が可能であり、スナップオン（Ｓｎａｐ−ｏｎ）方式で組立性の向上した噴霧装置に関する。
【背景技術】
【０００２】
一般的に、噴霧器は、容器に保存されている内容物（溶液）をポンピングして噴霧するものであって、このために、容器の上部には、噴霧装置が付設される。すなわち、従来の噴霧器は、液状またはペースト状の化粧品やその他の内容物が保存される容器と、容器のネック（Ｎｅｃｋ）に着脱式に結合するキャップと、キャップの上部に付設され、トリガーの作動によって液状の内容物を一定量ずつポンピング噴霧するトリガー式噴霧装置と、を備える。
【０００３】
このようなトリガー式噴霧装置は、キャップ上部に設置され、先端部に噴霧ノズルが設けられた本体と、本体内に設けられ、容器内の内容物を吸引ポンピングするようにプランジャーを備えたポンプ機構と、ポンプ機構のプランジャーを反復作動させるために、本体の先端部にヒンジ結合したトリガーと、トリガーを復帰させるためのリターンスプリングと、を備え、ポンプ機構の吸入口には、吸引チューブが結合されて容器底部に延びている。
【０００４】
したがって、使用者がトリガーを反復的に引っぱることに応じて、容器内の内容物は、吸引チューブを介してポンプ機構内に吸引され、継続して噴霧ノズルを介して噴霧形態で噴出される。
【先行技術文献】
【特許文献】
【０００５】
【特許文献１】韓国公開特許第１０−２０１０−０１２８６５０号公報
【発明の概要】
【発明が解決しようとする課題】
【０００６】
本発明の目的は、倒立噴射が可能な噴霧装置を提供することにある。
【０００７】
本発明の他の目的は、一つのバルブで流入通路と吐出通路を遮断することができて部品数を減らすことができ、各部品がスナップオン方式で組立されることにより、組立性の向上した噴霧装置を提供することにある。
【０００８】
また、本発明のまた他の目的は、カバー部の交換が容易で、様々なデザインを具現できる噴霧装置を提供することにある。
【課題を解決するための手段】
【０００９】
本発明による噴霧装置は、入口から出口に内容物の通過する流路が形成されるハウジングと、前記ハウジングに設けられて容器の内容物を抽出して充填または吐出させるポンピング部と、前記流路に設けられ、前記ポンピング部の作動に連動して前記流路を選択的に遮蔽させるバルブ部と、前記流路に設けられ、倒立状態で前記ポンピング部の作動に連動して前記容器の内容物を抽出する倒立抽出部と、を備える。
【００１０】
また、前記ハウジングは、スナップオン方式で組立されるカバーを備える。
【００１１】
また、前記カバーの分離時に前記ハウジングには、前記バルブ部が組立される安着部が開放される。
【００１２】
また、前記ハウジングと前記カバーは、結合部によって着脱可能に組立され、前記結合部は、前記ハウジングに形成される結合突起部と、前記結合突起部とスライド結合するように前記カバーに形成される結合レール部と、前記ハウジングと前記カバーの結合状態を維持させる結合固定部と、を備える。
【００１３】
また、前記ポンピング部は、前記ハウジングに一定空間を形成し、前記容器の内容物が流入し、内部に充填された内容物を吐出させるポンプ流出口が形成されたポンプハウジングと、前記ポンプハウジングにスライド移動可能に設けられるプランジャーと、前記ハウジングに回動自在に設けられ、復元部材によって前記ハウジングから弾性支持され、前記プランジャーをスライド移動させるトリガーと、を備える。
【００１４】
また、前記バルブ部は、前記流路に結合する本体と、前記本体に設けられて前記トリガーの作動に連動して前記入口を開閉する第１バルブと、前記本体に設けられて前記トリガーの作動に連動して前記出口を開閉する第２バルブと、を備える。
【００１５】
また、前記第１バルブは、前記ハウジングの入口を開閉する気密プレートと、前記本体から前記気密プレートを弾性支持する弾性部材と、を備える。
【００１６】
また、前記ハウジングと前記トリガーは、ヒンジ部によって相互結合し、前記ヒンジ部は、前記ハウジングに形成されるヒンジ軸と、前記ヒンジ軸に回転自在に結合するように前記トリガーに形成されるヒンジブラケットと、を備え、前記ヒンジブラケットは、前記ヒンジ軸から着脱可能に一側が開口され、前記ヒンジブラケットと前記ヒンジ軸の結合状態は、前記復元部材の弾性力によって維持される。
【００１７】
また、前記ハウジングは、前記容器のキャップにワンタッチ結合部によって結合され、前記ワンタッチ結合部は、前記ハウジングの下端部の周りに形成される結合フランジと、前記結合フランジとしまりばめされるテンション結合部と、を備える。
【００１８】
また、前記ハウジングの出口には、ノズルが設けられ、前記ノズルには、吐出される内容物に泡を形成する射出メッシュ部材が設けられる。
【００１９】
また、前記倒立抽出部は、前記ハウジングに結合して前記流路と連通される主管路、及び、倒立時に内容物を案内する倒立管路とが形成されるアダプタと、前記倒立管路を前記ポンピング部と連動して開閉する開閉部と、を備える。
【００２０】
また、前記開閉部は、前記倒立管路に設けられて前記倒立管路を選択的に開閉するボール部材と、前記ボール部材が前記倒立管路から離脱することを防止するために前記倒立管路に形成される離脱防止リブと、を備える。
【発明の効果】
【００２１】
本発明による噴霧装置は、ハウジングに結合するアダプタによって倒立状態でも噴射が可能な効果を奏する。
【００２２】
また、本発明は、ポンプハウジング、流路が形成されるハウジングが単一の射出物として一体化され、一つのバルブ部でポンピング部の内容物を充填及び吐出する作動が可能で部品数が最小化され、低費用の製作が可能である。
【００２３】
また、本発明は、ハウジングとカバー部が結合部によって着脱可能な構造を有するので、カバー部の交換が容易で、様々なデザインの具現が可能である。
【００２４】
また、本発明のハウジングとカバー部を結合部によるスナップオン方式で組立することにより、組立性が向上し、カバー部の結合によってバルブ部の流動を防止することができて作動信頼性を向上させることができ、バルブ部の開放が容易で維持補修が容易な効果を奏する。
【００２５】
また、本発明は、トリガーの着脱可能な構造的特徴によって、トリガーの破損時に、その部品のみを交換することができ、経済的な効果を奏する。
【図面の簡単な説明】
【００２６】
【図１】本発明の一実施例による噴霧装置の斜視図。
【図２】本発明の一実施例による噴霧装置の分解斜視図。
【図３】図１のＡ−Ａ断面図。
【図４】図３のＡ拡大図。
【図５】本発明の一実施例による噴霧装置のカバー部の組立を示した図面。
【図６】本発明の一実施例による噴霧装置の内容物の吐出を示した作動状態図。
【図７】本発明の一実施例による噴霧装置のポンプハウジングの内容物の充填を示した作動状態図。
【図８】本発明の一実施例による噴霧装置の倒立時の内容物の吐出を示した作動状態図。
【発明を実施するための形態】
【００２７】
以下、添付された図面を参照して本発明による噴霧装置の一実施例を説明する。
【００２８】
この過程で、図面に図示された線の太さや構成要素の大きさなどは、説明の明瞭性と便宜上誇張して図示され得る。また、後述される用語は、本発明での機能を考慮して定義された用語であって、これは使用者、運用者の意図または慣例によって変わり得る。したがって、これらの用語に対する定義は、本明細書の全般にわたる内容に基づいて下すべきである。
【００２９】
図１は本発明の一実施例による噴霧装置の斜視図であり、図２は本発明の一実施例による噴霧装置の分解斜視図であり、図３は図１のＡ−Ａ断面図であり、図４は図３のＡ拡大図であり、図５は本発明の一実施例による噴霧装置のカバー部の組立を示した図面であり、図６は本発明の一実施例による噴霧装置の内容物の吐出を示した作動状態図であり、図７は本発明の一実施例による噴霧装置のポンプハウジングの内容物の充填を示した作動状態図であり、図８は本発明の一実施例による噴霧装置の倒立時の内容物の吐出を示した作動状態図である。
【００３０】
図１ないし図８を参照すると、本発明の一実施例による噴霧装置１００は、ハウジング１１０、ポンピング部１２０、バルブ部１４０及び倒立抽出部１９０を備える。
【００３１】
本発明による噴霧装置１００は、容器に設けられて容器の内容物をポンピングしてスプレータイプで噴霧する装置であって、容器は、内容物が保存されるように内部に空間を形成し、合成樹脂などの様々な材質から形成される。
【００３２】
ハウジング１１０は、入口１１０ａと出口１１０ｂに内容物の通過する流路１１２が形成される。流路１１２は、入口１１０ａに延びる第１流路１１３と出口１１０ｂに延びる第２流路１１４を備える。すなわち、図３に図示するように、第１流路１１３は、入口１１０ａから垂直に延びており、第２流路１１４は、第１流路１１３から屈曲して水平方向に出口１１０ｂに延びている。
【００３３】
ポンピング部１２０は、ハウジング１１０に設けられて容器の内容物を抽出して充填または吐出させる。このようなポンピング部１２０は、ハウジング１１０に一定空間を形成し、容器の内容物が流入し、内部に充填された内容物を吐出させるポンプ流出口１２３が形成されるポンプハウジング１２２と、ポンプハウジング１２２にスライド移動可能に設けられるプランジャー１２４と、ハウジング１１０に回動自在に設けられ、復元部材１２６によってハウジング１１０から弾性支持され、プランジャー１２４をスライド移動させるトリガー１２５と、を備える。すなわち、トリガー１２５の回動によってプランジャー１２４がポンプハウジング１２２内でスライド移動することにより、ポンプハウジング１２２の内部に内容物を充填または、吐出させることができる。
【００３４】
復元部材１２６は、プラスチック材質から製造されており、両端に設けられてトリガー１２５とハウジング１１０にそれぞれ支持される支持段１２７と、支持段１２７を相互連結する弾性片１２８と、を備える。弾性片１２８は、支持段１２７を連結するＳ字の断面形状に構成されて支持段１２７を弾性支持する。支持段１２７には、ねじり防止溝１２９を形成することができる。このような復元部材１２６は、トリガー１２５に外圧が印加されると収縮し、外圧が除去されると最初の位置に復元される。
【００３５】
プランジャー１２４は、トリガー１２５の回動によってポンプハウジング１２２の内部をスライド移動するものであって、プランジャー１２４のスライド移動によって後述されるバルブ部１４０が作動してポンプハウジング１２２に内容物を充填または吐出させることができる。プランジャー１２４には、合成樹脂のシーリング部材１２４ｂが設けられてポンプハウジング１２２の内部に密着している。
【００３６】
そして、プランジャー１２４には、球状のヒンジ突起部１２４ａが形成され、ヒンジ突起部１２４ａが対応して結合するように、トリガー１２５には、ヒンジ溝部１２５ａが形成される。ヒンジ溝部１２５ａは、ヒンジ突起部１２４ａが収容されるＣ字の断面形状に構成されて球状のヒンジ突起部１２４ａが結合された状態で四方に回動することができる。
【００３７】
ハウジング１１０とトリガー１２５は、ヒンジ部１３０によって相互結合する。ヒンジ部１３０は、ハウジング１１０に形成されるヒンジ軸１３２と、ヒンジ軸１３２に回転自在に結合するようにトリガー１２５に形成されるヒンジブラケット１３４と、を備える。このとき、ヒンジブラケット１３４は、ヒンジ軸１３２から着脱可能に一側が開口され、ヒンジブラケット１３４とヒンジ軸１３２の結合状態は、復元部材１２６の弾性力によって維持される。
【００３８】
バルブ部１４０は、流路１１２に設けられ、ポンピング部１２０の作動に連動して流路１１２を選択的に遮蔽させることができる。このとき、流路１１２には、バルブ部１４０が安着することができる安着部１１５が設けられる。すなわち、図２に図示するように、第１流路１１３の上端部には、安着部１１５が形成されてバルブ部１４０が組立される。そして、安着部１１５には、固定溝１１７が形成され、バルブ部１４０には、固定溝１１７に結合する固定突起１４２ａが形成されて相互結合することができる。
【００３９】
バルブ部１４０は、流路１１２に結合する本体１４２と、本体１４２に設けられてトリガー１２５の作動に連動して入口１１０ａを開閉する第１バルブ１４４と、本体１４２に設けられてトリガー１２５の作動に連動して出口１１０ｂを開閉する第２バルブ１４７と、を備える。すなわち、図４に図示するように、第１バルブ１４４は、本体１４２の下端部に形成され、第２バルブ１４７は、本体１４２の周面に形成される。
【００４０】
第１バルブ１４４は、ハウジング１１０の入口１１０ａを開閉する気密プレート１４５と、本体１４２から気密プレート１４５を弾性支持する弾性部材１４６と、を備える。弾性部材１４６は、リング状に構成され、気密プレート１４５は、入口１１０ａと接触面積を広く形成するように相互対応する凹凸形状に形成される。そして、気密プレート１４５は、弾性部材１４６によって入口１１０ａを垂直方向に遮断し、ポンプハウジング１２２のポンプ流出口１２３と直角方向に配置されるため、プランジャー１２４の加圧時に気密プレート１４５また下部に加圧されるため、密閉力は向上する。これにより、ポンプハウジング１２２の内容物が容器側に逆流することを防止することができる。
【００４１】
ハウジング１１０には、スナップオン方式で組立されるカバー１５０が設けられる。
【００４２】
カバー１５０は、ハウジング１１０に結合して外観を形成するものであって、ハウジング１１０とカバー１５０は、結合部１６０によって着脱可能に組立される。図５に図示するように結合部１６０は、ハウジング１１０に形成される結合突起部１６２と、結合突起部１６２とスライド結合するようにカバー１５０に形成される結合レール部１６４と、ハウジング１１０とカバー１５０の結合状態を維持させる結合固定部１６５と、を備える。
【００４３】
結合突起部１６２は、ハウジング１１０の上面と両側面に形成され、結合レール部１６４も、結合突起部１６２と対応するようにカバー１５０の内側上面と内側両側面に形成される。
【００４４】
結合固定部１６５は、相互対応するフックとして形成され、相互結合される。カバー１５０は、ハウジング１１０の後側から前側に結合突起部１６２と結合レール部１６４とによってスライド移動されて結合し、フックからなる結合固定部１６５の結合によって固定される。
【００４５】
ハウジング１１０は、容器のキャップ１８７にワンタッチ結合部１７０によって結合され、ワンタッチ結合部１７０は、ハウジング１１０の下端部の周りに形成される結合フランジ１７２と、結合フランジ１７２としまりばめされるテンション結合部１７４とを備える。テンション結合部１７４は、図３に図示するように、キャップ１８７の内側面から下部方向に傾斜するように形成されて自ら弾性力を有する構造に形成される。したがって、結合フランジ１７２がテンション結合部１７４に接触された状態でハウジング１１０をキャップ１８７側に加圧すると、テンション結合部１７４が収縮して、結合フランジ１７２は、しまりばめで結合し、テンション結合部１７４は、復元されて結合フランジ１７２の離脱を防止する。
【００４６】
また、ハウジング１１０の出口１１０ｂには、ノズル１８０が設けられ、ノズル１８０には、吐出される内容物に泡を形成する射出メッシュ部材１８５が設けられてもよい。
【００４７】
倒立抽出部１９０は、流路１１２に設けられて倒立状態でポンピング部１２０の作動に連動して容器の内容物を抽出する。この倒立抽出部１９０は、ハウジング１１０に結合して流路１１２と連通される主管路１９２ａ、及び、倒立時に内容物を案内する倒立管路１９２ｂが形成されるアダプタ１９２と、倒立管路１９２ｂをポンピング部１２０と連動して開閉する開閉部１９４と、を備える。すなわち、図３に図示するように、アダプタ１９２は、ハウジング１１０の流路１１２下端部に嵌め込み結合し、主管路１９２ａの下端には、容器に延びるチューブ１９７が結合される。そして、倒立管路１９２ｂは、主管路１９２ａに偏心して形成され、入口１１０ａが上部に形成される。
【００４８】
開閉部１９４は、倒立管路１９２ｂに設けられて倒立管路１９２ｂを選択的に開閉するボール部材１９５と、ボール部材１９５が倒立管路１９２ｂから離脱することを防止するように倒立管路１９２ｂに形成される離脱防止リブ１９６と、を備える。
【００４９】
以下、前述した構造を有する本発明の一実施例による噴霧装置１００の作用及び効果を説明すると、次のとおりである。
【００５０】
まず、本発明による噴霧装置１００の組立を説明すると、図２に図示するように、ヒンジ部１３０によってハウジング１１０にトリガー１２５を回動自在に結合し、ハウジング１１０とトリガー１２５との間に復元部材１２６を介在させてトリガー１２５の結合状態を維持させる。このとき、トリガー１２５のヒンジブラケット１３４は、一側が開口された形態に構成されハウジング１１０から着脱が容易である。
【００５１】
その後、ハウジング１１０の第１流路１１３に形成される安着部１１５にバルブ部１４０を結合する。バルブ部１４０の本体１４２の周面には、固定突起１４２ａが形成され、安着部１１５には、固定溝１１７が形成されて相互結合するため、バルブ部１４０の離脱を防止することができる。前述の状態でカバー１５０を結合部１６０によってハウジング１１０に結合する。すなわち、ハウジング１１０の結合突起部１６２とカバー１５０の結合レール部１６４とを一致させてカバー１５０をスライド移動させると、ハウジング１１０の上部をカバーし、フックとして形成された結合固定部１６５の結合によってカバー１５０が固定される。
【００５２】
このとき、カバー１５０の結合レール部１６４は、安着部１１５に固定されたバルブ部１４０を上部から加圧するため、バルブ部１４０の離脱を防止することができる。
【００５３】
その後、ハウジング１１０の出口１１０ｂにおいて射出メッシュ部材１８５を備えるノズル１８０を結合する。そして、アダプタ１９２の下端にチューブ１９７を結合し、チューブ１９７を結合したアダプタ１９２は、ハウジング１１０の下端部の流路１１２に挿入されて固定される。
【００５４】
このように、組立されたハウジング１１０は、ワンタッチ結合部１７０によって容器に結合されて組立が完了する。
【００５５】
前述したように、ハウジング１１０とカバー１５０がスナップオン方式で組立されることにより組立性が向上し、カバー１５０の交換によってデザイン変更が容易である。さらに、環状のヒンジブラケット１３４によってトリガー１２５の破損時に交換が容易であるという効果を奏する。
【００５６】
使用者が容器の内容物を外部に抽出しようとする場合、ハウジング１１０を把持した後にトリガー１２５を引っぱると、図６に図示するように復元部材１２６が収縮しつつプランジャー１２４がポンプハウジング１２２の内部に移動してポンプハウジング１２２に充填された内容物を加圧する。
【００５７】
このとき、第２バルブ１４７が吐出圧によって開放され、内容物は、第２流路１１４を介して出口１１０ｂに噴射される。出口１１０ｂには、ノズル１８０が設けられ、ノズル１８０には、射出メッシュ部材１８５が設けられて、吐出される内容物は、泡の形で噴射され得る。
【００５８】
その後、トリガー１２５に加えられた圧力が解除されると、トリガー１２５は、復元部材１２６の弾性力によって最初の位置に復元されつつポンプハウジング１２２に内容物を充填する作動が行われる。すなわち、図７に図示するように、トリガー１２５の復元によってトリガー１２５と結合したプランジャー１２４がポンプハウジング１２２から後退し、プランジャー１２４の後退によってポンプハウジング１２２には真空圧が発生し、真空圧によって容器の内容物は、ポンプ流出口１２３を介してポンプハウジング１２２に充填される。
【００５９】
ポンプハウジング１２２の真空圧は、第１バルブ１４４を持ち上げて入口１１０ａを開放して内容物をポンプハウジング１２２に充填させることができる。さらに、ポンプハウジング１２２の真空圧は、第２バルブ１４７を引っぱることで第２バルブ１４７の開放を防止する。ポンプハウジング１２２に真空圧が除去されると、弾性部材１４６の弾性力によって気密プレート１４５が入口１１０ａに密着して入口１１０ａをカバーする。
【００６０】
前述した第１バルブ１４４と第２バルブ１４７は、本体１４２に一体に形成されるので、部品数を減らすことができ、本体１４２の組立が単純で組立性が向上する。
【００６１】
一方、図８に図示するように本発明による噴霧装置１００は、倒立状態でも噴射が可能である。
【００６２】
これを詳しく説明すると、容器が逆さになることにより、内容物は容器の上部側に偏るようになり、チューブ１９７が内容物に浸からない。このとき、上部に入口が形成される倒立管路１９２ｂが内容物に浸かることになる。そして、倒立管路１９２ｂを遮断しているボール部材１９５が自重によって下降して倒立管路１９２ｂを開放し、ポンピング部１２０のポンピング時に倒立管路１９２ｂを介して内容物を抽出することができる。
【００６３】
噴霧装置１００が再び元の状態に戻ると、チューブ１９７の入口が内容物に浸かるようになり、倒立管路１９２ｂは、ボール部材１９５の自重によって遮断され、ポンピング部１２０のポンピング時にチューブ１９７を介する内容物の抽出が可能である。
【００６４】
前述したように、本発明の一実施例による噴霧装置によると、ハウジングに結合されるアダプタによって倒立状態でも噴射が可能である。また、ポンプハウジング、流路が形成されるハウジングが単一の射出物として一体化され、一つのバルブ部でポンピング部の内容物の充填及び吐出作動が可能で部品数が最小化され、低費用の製作が可能であり、ハウジングとカバー部の着脱構造によって様々なデザインの具現及び組立性を向上させることができる。
【００６５】
本発明は、図面に図示された実施例を参照して説明したが、これは例示的なものに過ぎず、その技術が属する分野で通常の知識を有する者であれば、今後、様々な変形及び均等な他の実施例が可能であるという点を理解すべきである。
【００６６】
したがって、本発明の真正な技術的保護範囲は、特許請求の範囲によって決められるべきである。
【００６７】
（付記）
（付記１）
入口から出口に内容物の通過する流路が形成されるハウジングと、
前記ハウジングに設けられて容器の内容物を抽出して充填または吐出させるポンピング部と、
前記流路に設けられ、前記ポンピング部の作動に連動して前記流路を選択的に遮蔽させるバルブ部と、
前記流路に設けられて倒立状態で前記ポンピング部の作動に連動して前記容器の内容物を抽出する倒立抽出部と、を備える、
噴霧装置。
【００６８】
（付記２）
前記ハウジングは、スナップオン方式で組立されるカバーを備える、
付記１に記載の噴霧装置。
【００６９】
（付記３）
前記カバーの分離時に前記ハウジングには、前記バルブ部が組立される安着部が開放される、
付記２に記載の噴霧装置。
【００７０】
（付記４）
前記ハウジングと前記カバーは、結合部によって着脱可能に組立され、
前記結合部は、
前記ハウジングに形成される結合突起部と、
前記結合突起部とスライド結合するように前記カバーに形成される結合レール部と、
前記ハウジングと前記カバーの結合状態を維持させる結合固定部と、を備える、
付記２に記載の噴霧装置。
【００７１】
（付記５）
前記ポンピング部は、
前記ハウジングに一定空間を形成し、前記容器の内容物が流入し、内部に充填された内容物を吐出させるポンプ流出口が形成されるポンプハウジングと、
前記ポンプハウジングにスライド移動可能に設けられるプランジャーと、
前記ハウジングに回動自在に設けられ、復元部材によって前記ハウジングから弾性支持され、前記プランジャーをスライド移動させるトリガーと、を備える、
付記１に記載の噴霧装置。
【００７２】
（付記６）
前記バルブ部は、
前記流路に結合する本体と、
前記本体に設けられて前記トリガーの作動に連動して前記入口を開閉する第１バルブと、
前記本体に設けられて前記トリガーの作動に連動して前記出口を開閉する第２バルブと、を備える、
付記５に記載の噴霧装置。
【００７３】
（付記７）
前記第１バルブは、
前記ハウジングの前記入口を開閉する気密プレートと、
前記本体から前記気密プレートを弾性支持する弾性部材と、を備える、
付記６に記載の噴霧装置。
【００７４】
（付記８）
前記ハウジングと前記トリガーとは、ヒンジ部によって相互結合し、
前記ヒンジ部は、
前記ハウジングに形成されるヒンジ軸と、
前記ヒンジ軸に回転自在に結合するように前記トリガーに形成されるヒンジブラケットと、を備え、
前記ヒンジブラケットは、前記ヒンジ軸から着脱可能に一側が開口され、
前記ヒンジブラケットと前記ヒンジ軸との結合状態は、前記復元部材の弾性力によって維持される、
付記５に記載の噴霧装置。
【００７５】
（付記９）
前記ハウジングは、前記容器のキャップにワンタッチ結合部によって結合され、
前記ワンタッチ結合部は、
前記ハウジングの下端部の周りに形成される結合フランジと、
前記結合フランジとしまりばめされるテンション結合部と、を備える、
付記１に記載の噴霧装置。
【００７６】
（付記１０）
前記ハウジングの出口には、ノズルが設けられ、
前記ノズルには、吐出される内容物に泡を形成する射出メッシュ部材が設けられる、
付記１に記載の噴霧装置。
【００７７】
（付記１１）
前記倒立抽出部は、
前記ハウジングに結合して前記流路と連通される主管路、及び、倒立時に内容物を案内する倒立管路が形成されるアダプタと、
前記倒立管路を前記ポンピング部と連動して開閉する開閉部と、を備える、
付記１に記載の噴霧装置。
【００７８】
（付記１２）
前記開閉部は、
前記倒立管路に設けられて前記倒立管路を選択的に開閉するボール部材と、
前記ボール部材が前記倒立管路から離脱することを防止するために前記倒立管路に形成される離脱防止リブと、を備える、
付記１１に記載の噴霧装置。
【符号の説明】
【００７９】
１００：噴霧装置
１１０：ハウジング
１１０ａ：入口
１１０ｂ：出口
１１２：流路
１１３：第１流路
１１４：第２流路
１１５：安着部
１１７：固定溝
１２０：ポンピング部
１２２：ポンプハウジング
１２３：ポンプ流出口
１２４：プランジャー
１２４ａ：ヒンジ突起部
１２４ｂ：シーリング部材
１２５：トリガー
１２５ａ：ヒンジ溝部
１２６：復元部材
１２７：支持段
１２８：弾性片
１２９：ねじり防止溝
１３０：ヒンジ部
１３２：ヒンジ軸
１３４：ヒンジブラケット
１４０：バルブ部
１４２：本体
１４２ａ：固定突起
１４４：第１バルブ
１４５：気密プレート
１４６：弾性部材
１４７：第２バルブ
１５０：カバー
１６０：結合部
１６２：結合突起部
１６４：結合レール部
１６５：結合固定部
１７０：ワンタッチ結合部
１７２：結合フランジ
１７４：テンション結合部
１８０：ノズル
１８５：射出メッシュ部材
１８７：キャップ
１９０：倒立抽出部
１９２：アダプタ
１９２ａ：主管路
１９２ｂ：倒立管路
１９４：開閉部
１９５：ボール部材
１９６：離脱防止リブ
１９７：チューブ
【図１】
2018083187.tif 000003
【図２】
2018083187.tif 000004
【図３】
2018083187.tif 000005
【図４】
2018083187.tif 000006
【図５】
2018083187.tif 000007
【図６】
2018083187.tif 000008
【図７】
2018083187.tif 000009
【図８】
2018083187.tif 000010